(57)【要約】【課題】  情報提供者がテレビの画面表示や印刷表示を通じて利用情報を効率的に情報利用者に提供し、また、情報利用者が利用情報を簡易に、かつ、確実に取得できる２次元コードによる情報提供方法を提供する。【解決手段】  テレビ受像機１は料理放送の画面２上に料理番組を表示する。２次元コード４はレシピの情報やテレビ局のメールアドレスを含む。読取装置５は２次元コード４を読み込み、デコードし、２次元コード４を記憶領域へ格納し、２次元コード４に含まれるテレビ局のメールアドレスあてに電子メールを送信する。【選択図】  図１
2005159569.tif 000002
【特許請求の範囲】
【請求項１】
テレビ受像機と、２次元コード読取装置とからなる情報提供システムにおいて、
前記テレビ受像機はテレビ番組と共に情報提供者の提供する情報を含む１個、もしくは複数個の２次元コードを画面に表示し、
前記２次元コード読取装置は前記テレビ受像機に表示された前記２次元コードを読み込み、前記２次元コードのデコードを行い、前記２次元コードのデコード結果の文字や画像の表示、あるいは音声の出力を行う
ことを特徴とする情報提供方法。
【請求項２】
シールに印刷された、あるいはスタンプで押印された１個もしくは複数個の２次元コードと、２次元コード読取装置とからなる情報提供システムにおいて、
前記２次元コードは情報提供者の提供する情報を含み、
前記２次元コード読取装置は前記２次元コードを読み込み、前記２次元コードのデコードを行い、前記２次元コードのデコード結果の文字や画像の表示、あるいは音声の出力を行う
ことを特徴とする情報提供方法。
【請求項３】
前記２次元コードがインターネットのＵＲＬを含み、
前記２次元コード読取装置は前記２次元コードを読み込み、前記２次元コードのデコードを行い、インターネットを経由して前記ＵＲＬのホームページを読み込み、前記ホームページを表示する
ことを特徴とする請求項１〜２に記載の情報提供方法。
【請求項４】
前記２次元コードが電子メールのメールアドレスを含み、
前記２次元コード読取装置は前記２次元コードを読み込み、前記２次元コードのデコードを行い、前記メールアドレスあてに電子メールを送信する
ことを特徴とする請求項１〜３に記載の情報提供方法。
【発明の詳細な説明】
【技術分野】
【０００１】
本発明は、テレビ画面上に表示された、あるいはシール上に印刷された、あるいはスタンプで押印された２次元コードによる情報提供方法に関するものである。
【背景技術】
【０００２】
情報提供者が情報利用者に画面を通して提供する情報として、画像情報、文字情報、あるいは画面に合わせた音声情報がある。このうち、情報利用者が後々利用するために必要な情報である利用情報を提供する方法としては、利用情報を文字情報として表示画面全体もしくは一部に表示する方法がとられている。特に放送画面のように映像が連続的に変化する場合には、利用情報を情報利用者が手書きでメモできる時間だけ利用情報を継続して表示する方法がとられる。このような場合、情報利用者は利用情報の画面が消える前に利用情報を素早くメモする必要があり、メモが間に合わずに利用情報を逸する、書き間違える、あるいは、メモを紛失するなどの問題点があった。
【０００３】
従来の技術では、こうした問題点を解決する手段として、テレビ放送画面の場合、テレビ受像機に情報利用者側の操作で画面を一時静止させることができる機能を設け、利用情報が表示された際、情報利用者は画面を一時静止させ、静止した画面から手書きでメモをとる方法が取られていた。しかし、この場合、テレビ放送は継続して放送されており、メモを取っている間、利用情報をメモ中の情報利用者は継続放送されている放送を見逃す、あるいは、メモを取ることに集中できないなどの問題点があった。
また、メモ中に続けて他の利用情報が放送された場合は、先の利用情報のメモが間に合わない、あるいは、後の利用情報を取得できないという問題点があった。さらに、メモをとる作業が煩わしい、書き間違える、メモを紛失するといった問題点は解決されていない。
【０００４】
また、情報提供者が情報を情報利用者に文字情報として提供する場合、従来、例えば観光案内情報の場合などは、ガイドブック、案内パンフレット、案内板などの情報記載体に案内情報をそのまま文字にして印刷する方法が一般的である。しかし、文字にして印刷する場合、情報記載体の表示面積を効率的に活用し、情報利用者が見やすく表示するために、文字情報として提供する情報量を少なく抑える必要があった。
また、案内板に記載された文字情報の場合は、情報利用者がこれを後の利用情報として、あるいは記念や記録として残すには、文字情報を書き写すなどの煩わしい作業を必要とする問題点があった。
【０００５】
さらに、文字情報が印刷表示であるために、電子的に直接パソコンに取り込むことが難しく、例えばＯＣＲなどで電子的に取り込む場合でも、デザインの観点から文字がデフォルメされることもあり、情報記載体に記載された利用情報を電子的に蓄積、管理するには難しい問題がある。
なお、本発明に対応する従来技術文献は見つかっていない。
【発明の開示】
【発明が解決しようとする課題】
【０００６】
本発明は上記の事情を考慮してなされたもので、その目的は、情報提供者がテレビの画面表示や印刷表示、あるいはスタンプ表示を通じて利用情報を効率的に情報利用者に提供し、かつ、情報利用者が利用情報を簡易に、かつ、確実に取得できる２次元コードによる情報提供方法を提供することにある。
【課題を解決するための手段】
【０００７】
この発明は前述の課題を解決するためになされたもので、請求項１の発明は、テレビ受像機と、２次元コード読取装置とからなる情報提供システムにおいて、前記テレビ受像機はテレビ番組と共に情報提供者の提供する情報を含む１個、もしくは複数個の２次元コードを画面に表示し、前記２次元コード読取装置は前記テレビ受像機に表示された前記２次元コードを読み込み、前記２次元コードのデコードを行い、前記２次元コードのデコード結果の文字や画像の表示、あるいは音声出力を行うことを特徴とする情報提供方法である。
【０００８】
請求項２の発明は、シールに印刷された、あるいはスタンプで押印された１個もしくは複数個の２次元コードと、２次元コード読取装置とからなる情報提供システムにおいて、前記２次元コードは情報提供者の提供する情報を含み、前記２次元コード読取装置は前記２次元コードを読み込み、前記２次元コードのデコードを行い、前記２次元コードのデコード結果の文字や画像の表示、あるいは音声出力を行うことを特徴とする情報提供方法である。
【０００９】
請求項３に記載の発明は、請求項１〜２に記載の２次元コードによる情報提供方法であって、前記２次元コードがインターネットのＵＲＬを含み、前記２次元コード読取装置は前記２次元コードを読み込み、前記２次元コードのデコードを行い、インターネットを経由して前記ＵＲＬのホームページを読み込み、前記ホームページを表示することを特徴とするものである。
【００１０】
請求項４に記載の発明は、請求項１〜３に記載の２次元コードによる情報提供方法であって、前記２次元コードが電子メールのメールアドレスを含み、前記２次元コード読取装置は前記２次元コードを読み込み、前記２次元コードのデコードを行い、前記メールアドレスあてに電子メールを送信することを特徴とするものである。
【発明の効果】
【００１１】
請求項１の発明によれば、テレビ受像機が２次元コードを画面に表示し、２次元コード読取装置がテレビ受像機に表示された２次元コードを読み込み、２次元コードの内容を表示することにより、情報利用者はテレビ放送の付加情報を簡単に、かつ確実に取得することができる効果がある。
【００１２】
また、請求項２の発明によれば、２次元コード読取装置がシールに印刷された、あるいはスタンプで押印された２次元コードを読み込み、２次元コードの内容を表示することにより、パンフレットなどに記載された項目、あるいはスタンプに刻印された内容の詳細情報を簡単に、かつ確実に取得することができる効果がある。
【００１３】
また、請求項３の発明によれば、２次元コードがインターネットのＵＲＬを含み、２次元コード読取装置がホームページを読み込んで表示することにより、情報利用者は簡単に関連情報を入手でき、情報提供者は関連する商品やサービスなどの宣伝ができる効果が得られる。
【００１４】
また、請求項４の発明によれば、２次元コードがメールアドレスを含み、２次元コード読取装置が電子メールを送信することにより、情報利用者は商品やサービスの提供者に問い合わせなどの連絡を簡単に取ることができる効果が得られる。
【発明を実施するための最良の形態】
【００１５】
以下、図面を参照し、この発明の実施の形態を説明する。
＜第１の実施の形態＞
図１は、この発明の第１の実施の形態における情報提供システムの構成図である。図１では、テレビ受像機１は料理放送の画面２上に料理番組を表示する。符号３は料理のレシピである。２次元コード４はレシピを表す文字情報と、テレビ局のメールアドレスとを含む。読取装置５は、２次元コードの読み込みと、デコードとを行う機能、メール機能およびインターネットアクセス機能を持った携帯電話である。
【００１６】
次に、図を参照して第１の実施の形態における情報提供システムの動作について、説明する。情報利用者はテレビ受像機１で料理番組を見ている。情報提供者は料理放送の画面２において、「レシピ」を配置して表示させ、２次元コードの内容を情報利用者に示す。情報利用者は読取装置５を料理放送の画面２上の２次元コード４に近づけ、操作部から読み取りを指示する。読取装置５は２次元コード４を読み込み、記憶領域へ格納し、次に、２次元コード４をデコードして読取装置５の表示部に表示する。
【００１７】
情報利用者は読取装置５の表示部に表示されたレシピを確認し、調理方法の詳細を問い合わせる電子メールを作成する。次に、情報利用者は読取装置５に２次元コード４に含まれるメールアドレスへの電子メール送信を指示する。読取装置５は情報利用者の指示を入力し、電子メールを送信する。
【００１８】
次に、情報提供者はＵＲＬをエンコードした２次元コード６を図２のように画面に配置し、また、「ＵＲＬ」を表示させ、２次元コードの内容を情報利用者に示す。情報利用者はＵＲＬをエンコードした２次元コード６に読取装置５を近づけ、操作部から読み取りを指示する。読取装置５はＵＲＬをエンコードした２次元コード６を読み込み、記憶領域へ格納し、ＵＲＬをエンコードした２次元コード６をデコードして読取装置５の表示部に表示する。
【００１９】
情報利用者は読取装置５の表示部に表示されたＵＲＬを確認し、情報利用者は、読取装置５にインターネットを経由してそのＵＲＬのホームページの読み込みを指示する。読取装置５は情報利用者の指示を入力し、インターネットを経由してそのホームページを読み込み、読取装置５の表示部へ表示する。情報利用者はホームページを確認し、次回以降の当該料理番組で紹介する料理のメニューなどを確認する。
【００２０】
なお、読取装置５でテレビ受像機１に表示された２次元コード４、または、２次元コード６を読み取る際に、読取装置５の画像取得スピードがテレビ受像機１の１画面構成スピードよりも早い場合は、読取装置５が読み込んだ２次元コード４、または、２次元コード６の画像に縞模様が現れることがある。このため、読取装置５の画像取得スピードは、テレビ受像機１の１画面構成スピードよりも遅く設定されることが望ましい。
【００２１】
＜第２の実施の形態＞
図３と、図４とはこの発明の第２の実施の形態における情報提供システムの構成を示す図である。本実施の形態において、観光案内パンフレット７は、観光地の地図と、観光スポットの案内情報を記載したシール８とを含む。観光スポットの案内情報を記載したシール８は観光名所の写真と、観光スポットの名称や概要を記述した説明文９と、観光スポットの詳細情報１１をエンコードした観光スポット情報の２次元コード１０とを含む。また、観光スポットの詳細情報１１は地域の名産品、その販売所、宿泊所、あるいはこの観光スポットに関連するホームページのＵＲＬや観光案内所の電子メールアドレスなどの情報を含む。読取装置５は第１の実施の形態と同じ２次元コードの読取装置である。
また、本実施の形態の情報提供者は観光事業者、イベント事業者、あるいは観光地域の自治体や店舗集合組織体などであり、情報利用者は旅行者などである。
【００２２】
次に、図を参照して第２の実施の形態における情報提供システムの動作について、説明する。情報提供者は、観光案内パンフレット７を情報利用者に提供する。情報利用者は観光案内パンフレット７を参照し、興味を持った観光スポットの案内情報を記載したシール８に読取装置５を近づけ、読取装置５に観光スポット情報の２次元コード１０の読み取りを指示する。読取装置５は観光スポット情報の２次元コード１０を読み込み、記憶部へ格納し、デコードし、観光スポットの詳細情報１１を読取装置５の表示部に表示する。
【００２３】
次に、情報利用者は読取装置５の表示部に表示されたＵＲＬで示されるホームページの読み込みを読取装置５に指示する。読取装置５は指示を入力し、インターネットを経由してＵＲＬの示すホームページを読み込み、読取装置５の表示部に表示する。情報利用者はホームページから地域の名産品などの情報を確認する。
次に、情報利用者は観光スポットの案内情報を記載したシール８を観光案内パンフレット７からはがし、写真帳などに貼り付ける。後日、情報利用者は読取装置５に観光スポット情報の２次元コード１０の読み取りを指示する。情報利用者は読取装置５の表示部に表示された観光スポットの詳細情報１１を確認し、宿泊施設の詳細を問い合わせる電子メールを作成する。次に、情報利用者は読取装置５に観光スポットの詳細情報１１に含まれるメールアドレスへの電子メールの送信を指示する。読取装置５は情報利用者の指示を入力し、電子メールを送信する。
【００２４】
以上、図面を参照して本発明の実施形態について詳述してきたが、具体的な構成はこれらの実施の形態に限られるものではなく、この発明の要旨を逸脱しない範囲の設計変更等も含まれる。例えば、第２の実施の形態では、２次元コードをシールに印刷したが、これを観光地で使われるスタンプとしてもよい。情報提供者はスタンプの押印により、情報としての絵、文字のほかに関連する詳細情報をエンコードした２次元コードを合わせて情報利用者に提供する。情報利用者は押印されたスタンプ印に読取装置５を近づけ、読取装置５にスタンプ印の中の２次元コードの読み取りを指示する。読取装置５は詳細情報の２次元コードを読み込み、記憶部へ格納し、デコードし、詳細情報を読取装置５の表示部に表示する。
【００２５】
また、２次元コードをスタンプに刻印することにより、情報利用者はスタンプ印の２次元コードに含まれる情報を容易に取得することができる。実施の形態としては、観光地や駅で使われる絵入りのスタンプのほか、流通現場で使用される検印スタンプ、オフィスで使用される社名入りのスタンプ、自宅で使用される私印、さらに一般には、年賀スタンプやスタンプラリー用のスタンプなど、あらゆる場面で使用されるスタンプへ適用可能である。これらの用途において、情報提供のために２次元コードにＵＲＬ、メールアドレス、住所、あるいは電話番号などを含める方法もある。
【００２６】
また、第２の実施の形態では、観光案内パンフレット７に観光スポット情報の２次元コード１０を印刷した観光スポットの案内情報を記載したシール８を貼り付けたが、観光案内のみではなく、博物館の施設案内パンフレットなどに適用する方法もある。このような変更は容易である。
【図面の簡単な説明】
【００２７】
【図１】本発明の第１の実施の形態による情報提供方法を示す図である。
【図２】本発明の第１の実施の形態による情報提供方法を示す図である。
【図３】本発明の第２の実施の形態における観光案内パンフレットを示す図である。
【図４】本発明の第２の実施の形態による情報提供方法を示す図である。
【符号の説明】
【００２８】
１…テレビ受像機
２…料理放送の画面
３…料理のレシピ
４…２次元コード
５…読取装置
６…ＵＲＬをエンコードした２次元コード
７…観光案内パンフレット
８…観光スポットの案内情報を記載したシール
９…観光スポットの名称や概要を記載した説明文
１０…観光スポット情報の２次元コード
１１…観光スポットの詳細情報
【図１】
2005159569.tif 000003
【図２】
2005159569.tif 000004
【図３】
2005159569.tif 000005
【図４】
2005159569.tif 000006